(57)【要約】【課題】表示装置及びその駆動方法を提供する。【解決手段】赤色、緑色、白色をそれぞれ具現する３個のサブピクセルを含む第１ピクセルと、前記第１ピクセルに隣接し、青色、緑色、白色をそれぞれ具現する３個のサブピクセルを含む第２ピクセルと、を含むディスプレイパネルを備える表示装置。これにより、ＲＧＢ ＯＬＥＤに用いられた駆動回路を使って、スキャンチャネル及びデータチャネルの増加を回避し、駆動回路の面積、チャージタイム変動、駆動周波数変動などを防止する。【選択図】図４Ａ
2014063161.tif 000002
【特許請求の範囲】
【請求項１】
赤色、緑色、白色をそれぞれ具現する３個のサブピクセルを含む第１ピクセルと、
前記第１ピクセルに隣接し、青色、緑色、白色をそれぞれ具現する３個のサブピクセルを含む第２ピクセルと、を含むディスプレイパネルを備える表示装置。
【請求項２】
前記第１ピクセルに対応する第１入力カラーデータ及び前記第２ピクセルに対応する第２入力カラーデータを受信し、
前記第１ピクセルに含まれた赤色、緑色、白色サブピクセルそれぞれに対応する第１出力カラーデータ、及び前記第２ピクセルに含まれた青色、緑色、白色サブピクセルそれぞれに対応する第２出力カラーデータを生成するカラーデータ変換器をさらに備えることを特徴とする請求項１に記載の表示装置。
【請求項３】
前記第１入力カラーデータ及び前記第２入力カラーデータは、それぞれ赤色、緑色、青色入力カラーデータであることを特徴とする請求項２に記載の表示装置。
【請求項４】
前記カラーデータ変換器では、前記第２入力カラーデータのうち赤色カラーデータ部分が、前記第１ピクセルの赤色サブピクセルで具現され、
前記第１入力カラーデータのうち青色カラーデータ部分が、前記第２ピクセルの青色サブピクセルで具現されるように、前記第１出力カラーデータ及び第２出力カラーデータを生成することを特徴とする請求項２に記載の表示装置。
【請求項５】
前記カラーデータ変換器では、前記第１入力カラーデータ及び前記第２入力カラーデータのうち赤色カラーデータ部分が、前記第１ピクセルの赤色サブピクセル及び白色サブピクセル、前記第２ピクセルの白色サブピクセルのうち少なくとも一つで具現され、前記第１入力カラーデータ及び前記第２入力カラーデータのうち青色カラーデータ部分が、前記第２ピクセルの青色サブピクセル及び白色サブピクセル、前記第１ピクセルの白色サブピクセルのうち少なくとも一つで具現されるように、前記第１出力カラーデータ及び第２出力カラーデータを生成することを特徴とする請求項２に記載の表示装置。
【請求項６】
前記カラーデータ変換器は、緑色、赤色、青色に対応する前記第１入力カラーデータから最小値を抽出し、抽出された値と第１ゲイン比率ｇａ１とを乗算して第１白色出力カラーデータを定めることを特徴とする請求項２に記載の表示装置。
【請求項７】
前記カラーデータ変換器は、前記第１入力カラーデータのうち青色カラーデータから前記第１白色出力カラーデータを減算した値に基づいて、第２出力カラーデータのうち青色出力カラーデータを定めることを特徴とする請求項６に記載の表示装置。
【請求項８】
前記カラーデータ変換器は、緑色、赤色、青色に対応する前記第２入力カラーデータから最小値を抽出し、抽出された値と第２ゲイン比率ｇａ２とを乗算して第２白色出力カラーデータを定めることを特徴とする請求項２に記載の表示装置。
【請求項９】
前記カラーデータ変換器は、前記第２入力カラーデータのうち赤色カラーデータから前記第２白色出力カラーデータを減算した値に基づいて、第１出力カラーデータのうち赤色出力カラーデータを定めることを特徴とする請求項８に記載の表示装置。
【請求項１０】
前記第１ピクセル及び前記第２ピクセルが複数であることを特徴とする請求項１に記載のディスプレイパネルを備える表示装置。
【請求項１１】
前記複数の第１ピクセルに対応する複数の第１入力カラーデータ、及び前記複数の第２ピクセルに対応する複数の第２入力カラーデータを受信し、
前記複数の第１ピクセルに含まれた赤色、緑色、白色サブピクセルそれぞれに対応する複数の第１出力カラーデータ、及び前記複数の第２ピクセルに含まれた青色、緑色、白色サブピクセルそれぞれに対応する複数の第２出力カラーデータを生成するカラーデータ変換器をさらに備えることを特徴とする請求項１０に記載の表示装置。
【請求項１２】
前記カラーデータ変換器は、前記複数の第２入力カラーデータのうち赤色カラーデータ部分は、前記複数の第１ピクセルの赤色サブピクセルで具現され、
前記複数の第１入力カラーデータのうち青色カラーデータ部分は、前記複数の第２ピクセルの青色サブピクセルで具現されるように、前記第１出力カラーデータ及び第２出力カラーデータを生成することを特徴とする請求項１１に記載の表示装置。
【請求項１３】
前記カラーデータ変換器は、前記複数の第１入力カラーデータ及び前記複数の第２入力カラーデータのうち赤色カラーデータは、前記複数の第１ピクセルの赤色サブピクセル及び白色サブピクセル、前記複数の第２ピクセルの白色サブピクセルのうち少なくとも一つで具現され、
前記複数の第１入力カラーデータ及び前記複数の第２入力カラーデータのうち青色カラーデータは、前記複数の第２ピクセルの青色サブピクセル及び白色サブピクセル、前記複数の第１ピクセルの白色サブピクセルのうち少なくとも一つで具現されるように、前記複数の第１出力カラーデータ及び複数の第２出力カラーデータを生成することを特徴とする請求項１１に記載の表示装置。
【請求項１４】
一つ以上の単位ピクセルを含むディスプレイパネルと、
前記一つ以上の単位ピクセルそれぞれに３色データ信号を供給するデータドライバと、
前記一つ以上の単位ピクセルにゲートオン電圧を供給するゲートドライバと、
前記データドライバ及び前記ゲートドライバの駆動を制御するタイミングコントローラと、を備え、
前記ディスプレイパネルは、
赤色、緑色、白色をそれぞれ具現する３個のサブピクセルを含む第１ピクセルと、
前記第１ピクセルに隣接し、青色、緑色、白色をそれぞれ具現する３個のサブピクセルを含む第２ピクセルと、を含むことを特徴とする表示装置。
【請求項１５】
前記タイミングコントローラは、前記第１ピクセルに対応する赤色、緑色、青色の第１入力カラーデータ、及び前記第２ピクセルに対応する赤色、緑色、青色の第２入力カラーデータを受信することを特徴とする請求項１４に記載の表示装置。
【請求項１６】
前記タイミングコントローラでは、前記第１入力カラーデータ及び前記第２入力カラーデータのうち赤色カラーデータ部分が、前記第１ピクセルの赤色サブピクセル及び白色サブピクセル、前記第２ピクセルの白色サブピクセルのうち少なくとも一つで具現され、前記第１入力カラーデータ及び前記第２入力カラーデータのうち青色カラーデータ部分が、前記第２ピクセルの青色サブピクセル及び白色サブピクセル、前記第１ピクセルの白色サブピクセルのうち少なくとも一つで具現されるように、前記第１出力カラーデータ及び第２出力カラーデータを生成することを特徴とする請求項１４に記載の表示装置。
【請求項１７】
前記タイミングコントローラは、緑色、赤色、青色に対応する前記第１入力カラーデータから最小値を抽出し、抽出された値と第１ゲイン比率ｇａ１とを乗算して第１白色出力カラーデータを定めることを特徴とする請求項１４に記載の表示装置。
【請求項１８】
前記タイミングコントローラは、前記第１入力カラーデータのうち青色カラーデータから前記第１白色出力カラーデータを減算した値に基づいて、第２出力カラーデータのうち青色出力カラーデータを定めることを特徴とする請求項１７に記載の表示装置。
【請求項１９】
前記第１ピクセル及び前記第２ピクセルが複数であることを特徴とする請求項１４に記載のディスプレイパネルを備える表示装置。
【請求項２０】
前記タイミングコントローラは、前記データドライバに、赤色、緑色及び白色サブピクセルそれぞれに対応する第１出力カラーデータ、または青色、緑色及び白色サブピクセルそれぞれに対応する第２出力カラーデータを供給することを特徴とする請求項１４に記載の表示装置。
【請求項２１】
前記データドライバが供給する前記３色データ信号は、赤色、緑色及び白色出力カラーデータに対応する３色データ信号、または青色、緑色、白色出力カラーデータに対応する３色データ信号であることを特徴とする請求項１４に記載の表示装置。
【請求項２２】
表示装置の駆動方法において、
カラーデータ変換器が、第１ピクセルに対応する第１入力カラーデータ及び第２ピクセルに対応する第２入力カラーデータを受信する段階と、
前記カラーデータ変換器が、前記第１ピクセルに含まれた赤色、緑色、白色サブピクセルそれぞれに対応する第１出力カラーデータ、及び前記第２ピクセルに含まれた青色、緑色、白色サブピクセルそれぞれに対応する第２出力カラーデータを生成する段階と、を含み、
前記第１入力カラーデータ及び前記第２入力カラーデータは、それぞれ赤色、緑色、青色入力カラーデータであることを特徴とする表示装置の駆動方法。
【請求項２３】
前記カラーデータ変換器では、前記第２入力カラーデータのうち赤色カラーデータ部分が、前記第１ピクセルの赤色サブピクセルで具現され、
前記第１入力カラーデータのうち青色カラーデータ部分が、前記第２ピクセルの青色サブピクセルで具現されるように、前記第１出力カラーデータ及び第２出力カラーデータを生成する段階をさらに含むことを特徴とする請求項２２に記載の表示装置の駆動方法。
【請求項２４】
前記カラーデータ変換器では、前記第１入力カラーデータ及び前記第２入力カラーデータのうち赤色カラーデータ部分が、前記第１ピクセルの赤色サブピクセル及び白色サブピクセル、前記第２ピクセルの白色サブピクセルのうち少なくとも一つで具現され、前記第１入力カラーデータ及び前記第２入力カラーデータのうち青色カラーデータ部分が、前記第２ピクセルの青色サブピクセル及び白色サブピクセル、前記第１ピクセルの白色サブピクセルのうち少なくとも一つで具現されるように、前記第１出力カラーデータ及び第２出力カラーデータを生成する段階をさらに含むことを特徴とする請求項２２に記載の表示装置の駆動方法。
【請求項２５】
データドライバが前記第１出力カラーデータ及び前記第２出力カラーデータを受信する段階と、
ゲートドライバが前記複数の単位ピクセルにゲートオン電圧を供給する段階と、
データドライバが前記第１出力カラーデータ及び前記第２出力カラーデータに対応して、それぞれのピクセルにデータ信号を供給する段階と、を含む請求項２２に記載の表示装置の駆動方法。
【発明の詳細な説明】
【技術分野】
【０００１】
本発明の技術的思想は、表示装置に係り、特に、ホワイトサブピクセルを含む表示装置のピクセルアレイに関する。
【０００２】
本発明の技術的思想は、表示装置の駆動方法に係り、特に、ホワイトサブピクセルを含む表示装置のピクセルアレイの駆動方法に関する。
【背景技術】
【０００３】
最近ＯＬＥＤ(Organic Light Emitting Diode) ＴＶ分野では、既存のＲＧＢ ＯＬＥＤ以外に、高解像度の大面積ＯＬＥＤ製作に有利なＷＯＬＥＤ技術が活発に論議されている。ＷＯＬＥＤは、白色のサブピクセルをさらに含み、ＲＧＢ信号で白色に具現できるカラーデータ部分を、カラーフィルタを使わずに具現できる。また、カラーフィルタを使わずに具現できるため、カラーフィルタによる光度減少も発生しない。
【０００４】
ＷＯＬＥＤ表示装置のディスプレイパネルで使うＲＧＢＷサブピクセルの配列は、ＲＧＢＷチェッカー(Checker)及びＲＧＢＷストライプなどがある。これらのＲＧＢＷサブピクセルの配列は、既存のＲＧＢ ＯＬＥＤで使われたサブピクセルの配列とは異なって、これを駆動する回路が変更されねばならない。例えば、ＲＧＢＷチェッカー構造の場合、スキャンチャネルの数が２倍に増加し、駆動回路のチャージタイム(Charge)及び駆動周波数が変わる。また、ＲＧＢＷストライプは、データチャネルの数が増加し、ソースドライバのパッドの数が増加し、ソースドライバ回路のサイズが増大する。
【発明の概要】
【発明が解決しようとする課題】
【０００５】
本発明の技術的思想が解決しようとする課題は、ＲＧＢ ＯＬＥＤに用いられた駆動回路を使ってスキャンチャネルまたはデータチャネルの増加を回避し、駆動回路の面積の増加、チャージタイム変動、駆動周波数変動などを防止するところにある。
【課題を解決するための手段】
【０００６】
本発明の一実施形態による表示装置は、赤色（Ｒ）、緑色（Ｇ）、白色（Ｗ）をそれぞれ具現する３個のサブピクセルを含む第１ピクセルと、前記第１ピクセルに隣接し、青色（Ｂ）、緑色（Ｇ）、白色（Ｗ）をそれぞれ具現する３個のサブピクセルを含む第２ピクセルと、を含む。
【０００７】
望ましくは、前記第１ピクセルに対応する第１入力カラーデータ及び前記第２ピクセルに対応する第２入力カラーデータを受信し、前記第１ピクセルに含まれた赤色、緑色、白色サブピクセルそれぞれに対応する第１出力カラーデータ、及び前記第２ピクセルに含まれた青色、緑色、白色サブピクセルそれぞれに対応する第２出力カラーデータを生成するカラーデータ変換器をさらに備えることを特徴とする。
【０００８】
望ましくは、前記第１入力カラーデータ及び前記第２入力カラーデータは、それぞれ赤色、緑色、青色入力カラーデータであることを特徴とする。
【０００９】
望ましくは、前記カラーデータ変換器では、前記第２入力カラーデータのうち赤色カラーデータ部分が、前記第１ピクセルの赤色サブピクセルで具現され、前記第１入力カラーデータのうち青色カラーデータ部分が、前記第２ピクセルの青色サブピクセルで具現されるように、前記第１出力カラーデータ及び第２出力カラーデータを生成することを特徴とする。
【００１０】
望ましくは、前記カラーデータ変換器では、前記第１入力カラーデータ及び前記第２入力カラーデータのうち赤色カラーデータ部分が、前記第１ピクセルの赤色サブピクセル及び白色サブピクセル、前記第２ピクセルの白色サブピクセルのうち少なくとも一つで具現され、前記第１入力カラーデータ及び前記第２入力カラーデータのうち青色カラーデータ部分が、前記第２ピクセルの青色サブピクセル及び白色サブピクセル、前記第１ピクセルの白色サブピクセルのうち少なくとも一つで具現されるように、前記第１出力カラーデータ及び第２出力カラーデータを生成することを特徴とする。
【００１１】
望ましくは、前記カラーデータ変換器は、前記第１入力カラーデータから白色カラーに具現される最大値を抽出し、抽出された値と第１ゲイン比率ｇａｉｎ ｒａｔｉｏ＿１とを乗算して第１白色出力カラーデータを定めることを特徴とする。
【００１２】
望ましくは、前記カラーデータ変換器は、前記第１入力カラーデータのうち青色カラーデータから前記第１白色出力カラーデータを減算した値に基づいて、第２出力カラーデータのうち青色出力カラーデータを定めることを特徴とする。
【００１３】
望ましくは、前記カラーデータ変換器は、前記第２入力カラーデータから白色カラーに具現される最大値を抽出し、抽出された値と第２ゲイン比率ｇａｉｎ ｒａｔｉｏ＿２とを乗算して第２白色出力カラーデータを定めることを特徴とする。
【００１４】
望ましくは、前記カラーデータ変換器は、前記第２入力カラーデータのうち赤色カラーデータから前記第２白色出力カラーデータを減算した値に基づいて、第１出力カラーデータのうち赤色出力カラーデータを定めることを特徴とする。
【００１５】
望ましくは、前記第１ピクセル及び前記第２ピクセルが複数であることを特徴とするディスプレイパネルを備える。
【００１６】
望ましくは、前記複数の第１ピクセルに対応する複数の第１入力カラーデータ、及び前記複数の第２ピクセルに対応する複数の第２入力カラーデータを受信し、前記複数の第１ピクセルに含まれた赤色、緑色、白色サブピクセルそれぞれに対応する複数の第１出力カラーデータ、及び前記複数の第２ピクセルに含まれた青色、緑色、白色サブピクセルそれぞれに対応する複数の第２出力カラーデータを生成するカラーデータ変換器をさらに備えることを特徴とする。
【００１７】
望ましくは、前記カラーデータ変換器では、前記複数の第２入力カラーデータのうち赤色カラーデータ部分が、前記複数の第１ピクセルの赤色サブピクセルで具現され、前記複数の第１入力カラーデータのうち青色カラーデータ部分が、前記複数の第２ピクセルの青色サブピクセルで具現されるように、前記第１出力カラーデータ及び第２出力カラーデータを生成することを特徴とする。
【００１８】
望ましくは、前記カラーデータ変換器では、前記複数の第１入力カラーデータ及び前記複数の第２入力カラーデータのうち赤色カラーデータが、前記複数の第１ピクセルの赤色サブピクセル及び白色サブピクセル、前記複数の第２ピクセルの白色サブピクセルのうち少なくとも一つで具現され、前記複数の第１入力カラーデータ及び前記複数の第２入力カラーデータのうち青色カラーデータが、前記複数の第２ピクセルの青色サブピクセル及び白色サブピクセル、前記複数の第１ピクセルの白色サブピクセルのうち少なくとも一つで具現されるように、前記複数の第１出力カラーデータ及び複数の第２出力カラーデータを生成することを特徴とする。
【００１９】
本発明の他の実施形態による表示装置は、一つ以上の単位ピクセルを含むディスプレイパネルと、前記一つ以上の単位ピクセルそれぞれに３色データ信号を供給するデータドライバと、前記一つ以上の単位ピクセルにゲートオン電圧を供給するゲートドライバと、前記データドライバ及び前記ゲートドライバの駆動を制御するタイミングコントローラと、を備え、前記ディスプレイパネルは、赤色、緑色、白色をそれぞれ具現する３個のサブピクセルを含む第１ピクセルと、前記第１ピクセルに隣接し、青色、緑色、白色をそれぞれ具現する３個のサブピクセルを含む第２ピクセルと、を含むことを特徴とする。
【００２０】
望ましくは、前記タイミングコントローラは、前記第１ピクセルに対応する赤色、緑色、青色の第１入力カラーデータ、及び前記第２ピクセルに対応する赤色、緑色、青色の第２入力カラーデータを受信することを特徴とする。
【００２１】
望ましくは、前記タイミングコントローラは、前記第１入力カラーデータ及び前記第２入力カラーデータのうち赤色カラーデータ部分は、前記第１ピクセルの赤色サブピクセル及び白色サブピクセル、前記第２ピクセルの白色サブピクセルのうち少なくとも一つで具現され、前記第１入力カラーデータ及び前記第２入力カラーデータのうち青色カラーデータ部分は、前記第２ピクセルの青色サブピクセル及び白色サブピクセル、前記第１ピクセルの白色サブピクセルのうち少なくとも一つで具現されるように、前記第１出力カラーデータ及び第２出力カラーデータを生成することを特徴とする。
【００２２】
望ましくは、前記タイミングコントローラは、前記第１入力カラーデータから白色カラーに具現される最大値を抽出し、抽出された値と第１ゲイン比率ｇａ１とを乗算して第１白色出力カラーデータを定めることを特徴とする。
【００２３】
望ましくは、前記タイミングコントローラは、前記第１入力カラーデータのうち青色カラーデータから前記第１白色出力カラーデータを減算した値に基づいて、第２出力カラーデータのうち青色出力カラーデータを定めることを特徴とする。
【００２４】
望ましくは、前記第１ピクセル及び前記第２ピクセルが複数であることを特徴とするディスプレイパネルを備える。
【００２５】
望ましくは、前記タイミングコントローラは、前記データドライバに、赤色、緑色及び白色サブピクセルそれぞれに対応する第１出力カラーデータ、または青色、緑色及び白色サブピクセルそれぞれに対応する第２出力カラーデータを供給することを特徴とする。
【００２６】
望ましくは、前記データドライバが供給する前記３色データ信号は、赤色、緑色及び白色出力カラーデータに対応する３色データ信号、または青色、緑色、白色出力カラーデータに対応する３色データ信号であることを特徴とする。
【００２７】
本発明のさらに他の実施形態による表示装置の駆動方法は、カラーデータ変換器が、第１ピクセルに対応する第１入力カラーデータ及び第２ピクセルに対応する第２入力カラーデータを受信する段階と、前記カラーデータ変換器が、前記第１ピクセルに含まれた赤色、緑色、白色サブピクセルそれぞれに対応する第１出力カラーデータ、及び前記第２ピクセルに含まれた青色、緑色、白色サブピクセルそれぞれに対応する第２出力カラーデータを生成する段階と、を含み、前記第１入力カラーデータ及び前記第２入力カラーデータは、それぞれ赤色、緑色、青色入力カラーデータであることを特徴とする。
【００２８】
望ましくは、前記カラーデータ変換器では、前記第２入力カラーデータのうち赤色カラーデータ部分が、前記第１ピクセルの赤色サブピクセルで具現され、前記第１入力カラーデータのうち青色カラーデータ部分が、前記第２ピクセルの青色サブピクセルで具現されるように、前記第１出力カラーデータ及び第２出力カラーデータを生成する段階をさらに含むことを特徴とする。
【００２９】
望ましくは、前記カラーデータ変換器では、前記第１入力カラーデータ及び前記第２入力カラーデータのうち赤色カラーデータ部分が、前記第１ピクセルの赤色サブピクセル及び白色サブピクセル、前記第２ピクセルの白色サブピクセルのうち少なくとも一つで具現され、前記第１入力カラーデータ及び前記第２入力カラーデータのうち青色カラーデータ部分が、前記第２ピクセルの青色サブピクセル及び白色サブピクセル、前記第１ピクセルの白色サブピクセルのうち少なくとも一つで具現されるように、前記第１出力カラーデータ及び第２出力カラーデータを生成する段階をさらに含むことを特徴とする。
【００３０】
望ましくは、データドライバが前記第１出力カラーデータ及び前記第２出力カラーデータを受信する段階と、ゲートドライバが前記複数の単位ピクセルにゲートオン電圧を供給する段階と、データドライバが前記第１出力カラーデータ及び前記第２出力カラーデータに対応して、それぞれのピクセルにデータ信号を供給する段階と、を含む。
【発明の効果】
【００３１】
前述したような本発明による表示装置は、ＲＧＢ ＯＬＥＤに用いられた駆動回路を使って、スキャンチャネル及びデータチャネルの増加を回避し、駆動回路の面積の増加、チャージタイム変動、駆動周波数変動などを防止する。
【図面の簡単な説明】
【００３２】
【図１】本発明の一実施形態による表示装置（ＤＩＳＰＬＡＹ ＤＥＶＩＣＥ）１０のブロック図である。
【図２Ａ】ディスプレイパネル内で多様なサブピクセルの配列を示す図である。
【図２Ｂ】ディスプレイパネル内で多様なサブピクセルの配列を示す図である。
【図２Ｃ】ディスプレイパネル内で多様なサブピクセルの配列を示す図である。
【図２Ｄ】ディスプレイパネル内で多様なサブピクセルの配列を示す図である。
【図２Ｅ】ディスプレイパネル内で多様なサブピクセルの配列を示す図である。
【図２Ｆ】ディスプレイパネル内で多様なサブピクセルの配列を示す図である。
【図２Ｇ】ディスプレイパネル内で多様なサブピクセルの配列を示す図である。
【図２Ｈ】ディスプレイパネル内で多様なサブピクセルの配列を示す図である。
【図３】図１のピクセルＰ１及びピクセルＰ２内でサブピクセルの積層構成を示す図である。
【図４Ａ】本発明の一実施形態によって、２つのピクセルの間で具現されるレンダリングを説明するために、例示的にピクセルＰ１及びピクセルＰ２を示す図である。
【図４Ｂ】本発明の一実施形態による２つのピクセルの間で具現されるレンダリングを説明するためのカラーデータ変換器１１１を具体的に示す図である。
【図５Ａ】本発明の一実施形態によって、３つのピクセルの間で具現されるレンダリングを説明するために、ピクセルＰ１、ピクセルＰ２、ピクセルＰ３及びピクセルＰ４を示す図である。
【図５Ｂ】本発明の一実施形態による３つのピクセルの間で具現されるレンダリングを説明するためのカラーデータ変換器１１１を具体的に示す図である。
【図６Ａ】本発明の一実施形態によって、５つのピクセルの間で具現されるレンダリングを説明するために、ピクセルＰ１、ピクセルＰ２、ピクセルＰ３、ピクセルＰ４及びピクセルＰ５を示す図である。
【図６Ｂ】本発明の一実施形態による５つのピクセルの間で具現されるレンダリングを説明するためのカラーデータ変換器１１１を具体的に示す図である。
【図７】本発明の一実施形態によるディスプレイパネルの駆動方法を説明するフローチャートＳ２００である。
【図８】本発明の一実施形態によるディスプレイパネル２００を示す図である。
【発明を実施するための形態】
【００３３】
以下、添付した図面を参照して本発明の実施形態について詳細に説明する。本発明の実施形態は当業者に本発明をさらに完全に説明するために提供されるものである。本発明は多様な変更を加えることができ、かついろいろな形態を持つことができるが、ここでは特定実施形態を図面に例示して詳細に説明する。しかし、これは本発明を特定の開示形態に限定しようとするものではなく、本発明の思想及び技術範囲に含まれるあらゆる変更、均等物ないし代替物を含むと理解されねばならない。各図面を説明するに際して、類似した参照符号を類似した構成要素に付ける。添付した図面において、構造物の寸法は、本発明の明確性を期するために実際より拡大または縮小して図示したものである。
【００３４】
本願で使われた用語は、単に特定の実施形態を説明するために使われたものであり、本発明を限定しようとする意図ではない。単数の表現は、文脈上明らかに異なる意味として使用しない限り、複数の表現を含む。本願で、“含む”または“持つ”などの用語は、明細書上に記載の特徴、数字、段階、動作、構成要素、部分品またはこれらを組み合わせたものが存在することを指そうとするものであり、一つまたはそれ以上の他の特徴や数字、段階、動作、構成要素、部分品またはこれらを組み合わせたものなどの存在または付加可能性を予め排除しないと理解されねばならない。
【００３５】
また、第１、第２などの用語は、多様な構成要素の説明に使われるが、前記構成要素は前記用語によって限定されてはならない。前記用語は、一つの構成要素を他の構成要素から区別する目的で使われる。例えば、本発明の権利範囲から逸脱せずに、第１構成要素は第２構成要素と称され、類似して第２構成要素も第１構成要素と称される。
【００３６】
特に定義されない限り、技術的や科学的な用語を含めて、ここで使われるすべての用語は、当業者によって一般的に理解されるところと同じ意味を持つ。一般的に使われる辞書に定義されているような用語は、関連技術の文脈上持つ意味と一致する意味を持つと解釈されねばならず、本願で明らかに定義しない限り、理想的または過度に形式的な意味で解釈されない。
【００３７】
図１は、本発明の一実施形態による表示装置１０のブロック図である。図１を参照すれば、表示装置１０は、ディスプレイパネル１００、タイミングコントローラ１１０、データドライバ１２０、ゲートドライバ１３０を備える。
【００３８】
ディスプレイパネル１００には、複数のデータラインＤＬと複数のゲートラインＧＬとが互いに交差し、交差するディスプレイ領域に、３個のサブピクセルをそれぞれ含む複数のピクセルＰ１、Ｐ２が配される。
【００３９】
ピクセルＰ１は、Ｒ（赤色）光を発生させるためのＲサブピクセルＳＰｒ１、Ｇ（緑色）光を発生させるためのＧサブピクセルＳＰｇ１、及びＷ（白色）光を発生させるためのＷサブピクセルＳＰｗ１を含む。一方、Ｂ（青色）光はピクセルＰ１で発生せず、周辺のピクセルのレンダリングによりＢ（青色）光を具現する。例えば、ピクセルＰ２のレンダリングによりＢ（青色）光を具現する。
【００４０】
ピクセルＰ１と隣接するピクセルＰ２は、カラー具現のためにＢ（青色）光を発生させるためのＢサブピクセルＳＰｂ２、Ｇ（緑色）光を発生させるためのＧサブピクセルＳＰｇ２、及びＷ（白色）光を発生させるためのＷサブピクセルＳＰｗ２を含む。一方、Ｒ（赤色）光はピクセルＰ２で発生せず、周辺のピクセルのレンダリングによりＲ（赤色）光を具現する。例えば、ピクセルＰ１のレンダリングによりＲ（赤色）光を具現する。
【００４１】
本発明の一実施形態による、ディスプレイパネルに含まれる複数のピクセルは、それぞれ３個のサブピクセルを含む。それぞれのピクセルは、ＲサブピクセルまたはＢサブピクセルを含まず、隣接するピクセルのレンダリングにより、含まれていないサブピクセルに対する光データを具現する。
【００４２】
図１で、２つのピクセルについて示したが、これは説明上の便宜のためのものであり、ディスプレイパネル１００に含まれたピクセルの数は、適用アプリケーションによって変わる。
【００４３】
図２Ａないし図２Ｈは、ディスプレイパネル内で多様なサブピクセルの配列を示す図面である。図２Ａないし図２Ｈは、それぞれ４個のピクセルを示し、それぞれのピクセルは３個のサブピクセルを含む。図２Ａのように、第１ピクセルは、ＲＷＧ順にサブピクセルを含み、第２ピクセルは、ＢＷＧ順にサブピクセルを含む。それぞれのサブピクセルは、３個のデータラインと１個のゲートラインとの交差によってストライプ式の配列をなす。
【００４４】
図２Ｂないし図２Ｈは、他のサブピクセルの配列を示す。それぞれの図２Ｂないし図２Ｈを参照すれば、それぞれのピクセルは、白色サブピクセル及び緑サブピクセルを含み、赤色または青色サブピクセルを交互に含む。同じピクセル内でサブピクセルの配置は、図２Ａないし図２Ｈに示したように、多様に変更される。
【００４５】
図３は、図１のピクセルＰ１及びピクセルＰ２内でサブピクセルの積層構成を示す図面である。図３を参照すれば、ピクセルＰ１は、サブピクセルＳＰｒ１、ＳＰｗ１、ＳＰｇ１を含む。ピクセルＰ２は、サブピクセルＳＰｂ２、ＳＰｗ２、ＳＰｇ２を含む。サブピクセルＳＰｒ１、ＳＰｗ１、ＳＰｇ１、ＳＰｂ２、ＳＰｗ２、ＳＰｇ２は、ホワイトＯＬＥＤ（ＷＯＬＥＤ）をそれぞれ含む。ホワイトＯＬＥＤは、カソード電極とアノード電極との間に白色光を放出するように、赤色発光層、緑発光層及び青色発光層が積層された多層構造を持つか、または赤色発光物質、緑発光物質及び青色発光物質を含む単一層構造を持つ。
【００４６】
図３のように、ＲサブピクセルＳＰｒ１は、ホワイトＯＬＥＤから入射される白色光のうち赤色光のみを透過させるＲカラーフィルタＲＣＦを備え、ＧサブピクセルＳＰｇ１、ＳＰｇ２は、ホワイトＯＬＥＤから入射される白色光のうち緑光のみを透過させるＧカラーフィルタＧＣＦを備え、ＢサブピクセルＳＰｂ２は、ホワイトＯＬＥＤから入射される白色光のうち青色光のみを透過させるＢカラーフィルタＢＣＦを備える。一方、ＷサブピクセルＳＰｗ１、ＳＰｗ２は、カラーフィルタを備えず、ホワイトＯＬＥＤから入射される白色光をいずれも透過させることで、カラーフィルタＲＣＦ、ＧＣＦ、ＢＣＦによる画像の輝度低下を補償する。
【００４７】
図３で、‘Ｅ１’は、アノード電極（または、カソード電極）であり、‘Ｅ２’は、カソード電極（または、アノード電極）でありうる。‘Ｅ１’は、サブピクセル単位であり、下部ＴＦＴアレイに形成された駆動ＴＦＴに電気的に接続される。ＴＦＴアレイは、サブピクセル別に駆動ＴＦＴ、少なくともスイッチＴＦＴ、ストレージキャパシタなどを備え、サブピクセル単位でデータラインＤＬ及びゲートラインＧＬに連結される。
【００４８】
再び図１を参照すれば、データドライバ１２０は、タイミングコントローラ１１０の制御下で色座標が変換された出力カラーデータＲｏ１、Ｇｏ１、Ｗｏ１、Ｂｏ２、Ｇｏ２、Ｗｏ２をアナログデータ電圧に変換し、データラインＤＬに供給する。
【００４９】
ゲートドライバ１３０は、タイミングコントローラ１１０の制御下でスキャンパルスを発生させてゲートラインＧＬに順次に供給することで、データ電圧が印加される水平ラインを選択する。
【００５０】
タイミングコントローラ１１０は、垂直同期信号Ｖｓｙｎｃ、水平同期信号Ｈｓｙｎｃ、クロック信号ＣＬＫ及びデータイネーブル信号ＤＥなどのタイミング信号に基づいて、データドライバ１２０の動作タイミングを制御するためのデータ制御信号ＤＤＣと、ゲートドライバ１３０の動作タイミングを制御するためのゲート制御信号ＧＤＣと、を発生させる。
【００５１】
タイミングコントローラ１１０は、カラーデータ変換器１１１を備える。カラーデータ変換器１１１は、外部から入力される３色の入力カラーデータＲｉ１、Ｇｉ１、Ｂｉ１、Ｒｉ２、Ｇｉ２、Ｂｉ２を受信し、色座標が変換された出力カラーデータＲｏ１、Ｇｏ１、Ｗｏ１、Ｂｏ２、Ｇｏ２、Ｗｏ２をデータドライバ１２０に供給する。但し、カラーデータ変換器１１１は、データドライバ１２０または別途のチップで具現され、アプリケーションによって変更可能である。
【００５２】
本発明の一実施形態による表示装置は、赤色、緑色、白色をそれぞれ具現するサブピクセルを含むピクセルＰ１及びピクセルＰ１に隣接し、青色、緑色、白色をそれぞれ具現するサブピクセルを含むピクセルＰ２を含むディスプレイパネルを備える。したがって、ＲＧＢ ＯＬＥＤの具現に使う駆動回路を使って、スキャンチャネル及びデータチャネルの増加をなくす。動作についての具体的な説明は後述する。
【００５３】
図４Ａは、本発明の一実施形態によって、２つのピクセルの間で具現されるレンダリングを説明するために、例示的にピクセルＰ１、ピクセルＰ２及びピクセルＰ３を示す図面である。
【００５４】
図４Ａを参照すれば、ピクセルＰ１、Ｐ３は、赤色、白色、緑サブピクセルを含み、ピクセルＰ２は、青色、白色、緑サブピクセルを含む。ピクセルＰ１には、青色光を具現するサブピクセルがなく、ピクセルＰ２には、赤色光を具現するサブピクセルがない。よって、ピクセルＰ１に対応する青色入力カラーデータは、ピクセルＰ２のレンダリングにより具現され、ピクセルＰ２に対応する赤色入力カラーデータは、ピクセルＰ３のレンダリングにより具現される。
【００５５】
図４Ｂは、本発明の一実施形態による２つのピクセルの間で具現されるレンダリングを説明するためのカラーデータ変換器１１１を具体的に示す図面である。
【００５６】
図４Ｂ参照すれば、カラーデータ変換器１１１は、３色の入力カラーデータＲｉ１、Ｇｉ１、Ｂｉ１；Ｒｉ２、Ｇｉ２、Ｂｉ２；Ｒｉ３、Ｇｉ３、Ｂｉ３を受信し、色座標が変換された出力カラーデータＲｏ１、Ｇｏ１、Ｗｏ１；Ｂｏ２、Ｇｏ２、Ｗｏ２；Ｂｏ３、Ｇｏ３、Ｗｏ３を生成する。カラーデータ変換器１１１は、ゲイン比率ｇａ１、ｇａ２、ｇａ３を受信し、出力カラーデータＲｏ１、Ｇｏ１、Ｗｏ１；Ｂｏ２、Ｇｏ２、Ｗｏ２；Ｒｏ３、Ｇｏ３、Ｗｏ３の生成に用いる。
【００５７】
具体的に、カラーデータ変換器１１１は、ピクセルＰ１、ピクセルＰ２及びピクセルＰ３に対応する入力カラーデータＲｉ１、Ｇｉ１、Ｂｉ１；Ｒｉ２、Ｇｉ２、Ｂｉ２；Ｒｉ３、Ｇｉ３、Ｂｉ３から、それぞれのピクセルで具現される白色出力カラーデータＷｏ１、Ｗｏ２、Ｗｏ３を算出する。例えば、カラーデータ変換器１１１は、入力カラーデータＲｉ１、Ｇｉ１、Ｂｉ１の最小値に第１ゲイン比率ｇａ１を乗算し、ピクセルＰ１で具現される白色出力カラーデータＷｏ１を算出する。例えば、カラーデータ変換器１１１は、入力カラーデータＲｉ２、Ｇｉ２、Ｂｉ２の最小値に第２ゲイン比率ｇａ２を乗算し、ピクセルＰ２で具現される白色出力カラーデータＷｏ２を算出する。同様に、例えば入力カラーデータＲｉ３、Ｇｉ３、Ｂｉ３の最小値に第３ゲイン比率ｇａ３を乗算し、ピクセルＰ３で具現される白色出力カラーデータＷｏ３を算出する。これを数式で表現すれば、次の通りである。
［数１］
Ｗｏ１＝ｍｉｎ（Ｒｉ１，Ｇｉ１，Ｂｉ１）×ｇａ１
Ｗｏ２＝ｍｉｎ（Ｒｉ２，Ｇｉ２，Ｂｉ２）×ｇａ２
Ｗｏ３＝ｍｉｎ（Ｒｉ３，Ｇｉ３，Ｂｉ３）×ｇａ２
【００５８】
ここで、第１ゲイン比率ｇａ１、第２ゲイン比率ｇａ２及び第３ゲイン比率ｇａ３は、０と１との間の数字である。第１ゲイン比率ｇａ１、第２ゲイン比率ｇａ２及び第３ゲイン比率ｇａ３は、カラーデータ変換器１１１の外部から入力される。
【００５９】
ディスプレイパネルに含まれたそれぞれのサブピクセルを駆動する時、白色を具現するために２つの方法が使われる。すなわち、白色を、カラーフィルタを経ない白色サブピクセルで具現できる一方、白色を、ＲＧＢカラーフィルタを通じて具現する赤色、緑色、青色カラーを組み合わせて具現できる。ゲイン比率は、白色を具現する時、ゲイン比率の高低に応じて２つの方法での白色の具現の仕方を変えさせる。すなわち、ゲイン比率が高い場合、白色を白色サブピクセルで具現する割合が高くなり、ゲイン比率が低い場合、白色を赤色、緑色、青色サブピクセルで具現する割合が高くなる。
【００６０】
カラーデータ変換器１１１は、算出された白色出力カラーデータＷｏ１、Ｗｏ２を通じて、ピクセルＰ１で具現される赤色及び緑色出力カラーデータＲｏ１、Ｇｏ１、及びピクセルＰ２で具現される青色及び緑色出力カラーデータＢｏ２、Ｇｏ２を算出する。同様に、カラーデータ変換器１１１では、算出された白色出力カラーデータＷｏ３を通じて、ピクセルＰ３で具現される赤色及び緑色出力カラーデータＲｏ３、Ｇｏ３を算出する。
【００６１】
カラーデータ変換器１１１は、ピクセルＰ１に対応する赤色出力カラーデータＲｏ１を算出する場合、ピクセルＰ２に対応する入力カラーデータＲｉ２、Ｇｉ２、Ｂｉ２に基づいて定める。例えば、ピクセルＰ１で具現される赤色出力カラーデータＲｏ１は、赤色入力カラーデータＲｉ１、Ｒｉ２の和から算出された白色出力カラーデータＷｏ１、Ｗｏ２の和を２で除算して得られた値をに定める。すなわち、ピクセルＰ２で具現される赤色光は、ピクセルＰ１のレンダリングにより具現される。
【００６２】
カラーデータ変換器１１１は、ピクセルＰ２に対応する青色出力カラーデータＢｏ１を算出する場合、ピクセルＰ３に対応する入力カラーデータＲｉ３、Ｇｉ３、Ｂｉ３に基づいて定める。例えば、ピクセルＰ２で具現される青色出力カラーデータＢｏ２は、青色入力カラーデータＢｉ２、Ｂｉ３の和から算出された白色出力カラーデータ（Ｗｏ２、Ｗｏ３）の和を２で除算して得られた値に定める。すなわち、ピクセルＰ３で具現される青色光は、ピクセルＰ２のレンダリングにより具現される。
【００６３】
また、ピクセルＰ１で具現される緑色出力カラーデータＧｏ１は、緑色入力カラーデータＧｉ１から白色出力カラーデータＷｏ１を減算して定める。また、ピクセルＰ２で具現される緑色出力カラーデータＧｏ２は、緑色入力カラーデータＧｉ２から白色出力カラーデータＷｏ２を減算して定める。
【００６４】
これを数式で表現すれば、次の通りである。
［数２］
Ｒｏ１＝（Ｒｉ１＋Ｒｉ２−Ｗｏ１−Ｗｏ２）／２
Ｂｏ２＝（Ｂｉ３＋Ｂｉ２−Ｗｏ３−Ｗｏ２）／２
Ｇｏ１＝Ｇｉ１−Ｗｏ１
Ｇｏ２＝Ｇｉ２−Ｗｏ２
【００６５】
したがって、本発明の一実施形態によるディスプレイパネルでは、隣接する第１ピクセル及び第２ピクセルのうち第１ピクセルは青色サブピクセルを含まないが、第２ピクセルのレンダリングにより青色を具現でき、第２ピクセルは赤色サブピクセルを含まないが、第３ピクセルのレンダリングにより赤色を具現する。よって、一つのピクセルには３個のサブピクセルを含み、これによって、ＲＧＢサブピクセルを使う駆動回路と同じ駆動回路を使える。よって、スキャンチャネルまたはデータチャネルの増加を回避して、駆動回路の面積の増加、チャージタイム変動、駆動周波数変動などを防止できる。
【００６６】
図５Ａは、本発明の一実施形態によって３つのピクセルの間で具現されるレンダリングを説明するために、ピクセルＰ１、ピクセルＰ２、ピクセルＰ３及びピクセルＰ４を示す図面である。
【００６７】
図５Ａを参照すれば、ピクセルＰ１、Ｐ４は、赤色、白色、緑サブピクセルを含むことができ、ピクセルＰ２、Ｐ３は、青色、白色、緑サブピクセルを含む。ピクセルＰ１、Ｐ４には、青色光を具現するサブピクセルがなく、ピクセルＰ２、Ｐ３には、赤色光を具現するサブピクセルがない。よって、ピクセルＰ１に対応する青色入力カラーデータは、ピクセルＰ２、Ｐ３のレンダリングにより具現され、ピクセルＰ３に対応する赤色入力カラーデータは、ピクセルＰ１、Ｐ４のレンダリングにより具現される。
【００６８】
図５Ｂは、本発明の一実施形態による３つのピクセルの間で具現されるレンダリングを説明するためのカラーデータ変換器１１１を具体的に示す図面である。
【００６９】
図５Ｂを参照すれば、カラーデータ変換器１１１は、３色の入力カラーデータＲｉ１、Ｇｉ１、Ｂｉ１；Ｒｉ２、Ｇｉ２、Ｂｉ２；Ｒｉ３、Ｇｉ３、Ｂｉ３；Ｒｉ４、Ｇｉ４、Ｂｉ４を受信し、色座標が変換された出力カラーデータＲｏ１、Ｇｏ１、Ｗｏ１；Ｂｏ２、Ｇｏ２、Ｗｏ２；Ｂｏ３、Ｇｏ３、Ｗｏ３；Ｒｏ４、Ｇｏ４、Ｗｏ４を生成する。カラーデータ変換器１１１は、ゲイン比率ｇａ１、ｇａ２、ｇａ３、ｇａ４を受信し、出力カラーデータＲｏ１、Ｇｏ１、Ｗｏ１；Ｂｏ２、Ｇｏ２、Ｗｏ２；Ｂｏ３、Ｇｏ３、Ｗｏ３；Ｒｏ４、Ｇｏ４、Ｗｏ４の生成に用いる。
【００７０】
具体的に、カラーデータ変換器１１１は、ピクセルＰ１ないしピクセルＰ４に対応する入力カラーデータＲｉ１、Ｇｉ１、Ｂｉ１；Ｒｉ２、Ｇｉ２、Ｂｉ２；Ｒｉ３、Ｇｉ３、Ｂｉ３；Ｒｉ４、Ｇｉ４、Ｂｉ４から、それぞれのピクセルで具現される白色出力カラーデータＷｏ１、Ｗｏ２、Ｗｏ３、Ｗｏ４を算出する。例えば、カラーデータ変換器１１１は、入力カラーデータＲｉ１、Ｇｉ１、Ｂｉ１の最小値に第１ゲイン比率ｇａ１を乗算し、ピクセルＰ１で具現される白色出力カラーデータＷｏ１を算出する。また類似した方法で白色出力カラーデータＷｏ２、Ｗｏ３、Ｗｏ４を算出できる。これを数式で表現すれば、次の通りである。
［数３］
Ｗｏ１＝ｍｉｎ（Ｒｉ１，Ｇｉ１，Ｂｉ１）×ｇａ１
Ｗｏ２＝ｍｉｎ（Ｒｉ２，Ｇｉ２，Ｂｉ２）×ｇａ２
Ｗｏ３＝ｍｉｎ（Ｒｉ３，Ｇｉ３，Ｂｉ３）×ｇａ３
Ｗｏ４＝ｍｉｎ（Ｒｉ４，Ｇｉ４，Ｂｉ４）×ｇａ４
【００７１】
ここで、第１ゲイン比率ｇａ１ないし第４ゲイン比率ｇａ４は、０と１との間の数字に該当し、ゲイン比率についての具体的な説明は、図４についての説明を参照する。
【００７２】
カラーデータ変換器１１１は、ピクセルＰ１に対応する赤色出力カラーデータＲｏ１を算出する場合、ピクセルＰ２に対応する入力カラーデータＲｉ２、Ｇｉ２、Ｂｉ２及びピクセルＰ３に対応する入力カラーデータＲｉ３、Ｇｉ３、Ｂｉ３に基づいて定める。例えば、カラーデータ変換器１１１は、ピクセルＰ１で具現される赤色出力カラーデータＲｏ１を、赤色入力カラーデータＲｉ１から白色出力カラーデータＷｏ１を減算した値、赤色入力カラーデータＲｉ２から白色出力カラーデータＷｏ２を減算した値を２で割った値、及び赤色入力カラーデータＲｉ３から白色出力カラーデータＷｏ３を減算した値を２で割った値をいずれも合わせた値を２で割った値に定める。すなわち、ピクセルＰ２、Ｐ３で具現される赤色光は、ピクセルＰ１のレンダリングにより具現される。
【００７３】
カラーデータ変換器１１１は、ピクセルＰ１に対応する緑色出力カラーデータＧｏ１を算出する場合、緑色入力カラーデータＧｉ１から白色出力カラーデータＷｏ１を減算した値に定める。
【００７４】
これを数式で表現すれば、次の通りである。
［数４］
Ｒｏ１＝［Ｒｉ１−Ｗｏ１＋（Ｒｉ２−Ｗｏ２）／２＋（Ｒｉ３−Ｗｏ３）／２］／２
Ｇｏ１＝Ｇｉ１−Ｗｏ１
【００７５】
カラーデータ変換器１１１は、ピクセルＰ３に対応する青色出力カラーデータＢｏ３を算出する場合、ピクセルＰ１に対応する入力カラーデータＲｉ１、Ｇｉ１、Ｂｉ１及びピクセルＰ４に対応する入力カラーデータＲｉ４、Ｇｉ４、Ｂｉ４に基づいて定める。例えば、カラーデータ変換器１１１は、ピクセルＰ３で具現される青色出力カラーデータＢｏ３を、青色入力カラーデータＢｉ３から白色出力カラーデータＷｏ３を減算した値、青色入力カラーデータＢｉ１から白色出力カラーデータＷｏ１を減算した値を２で割った値、及び青色入力カラーデータＢｉ４から白色出力カラーデータＷｏ４を減算した値を２で割った値をいずれも合わせた値を２で割った値に定める。すなわち、ピクセルＰ１、Ｐ４で具現される青色光は、ピクセルＰ３のレンダリングにより具現される。
【００７６】
カラーデータ変換器１１１は、ピクセルＰ３に対応する緑色出力カラーデータＧｏ３を算出する場合、緑色入力カラーデータＧｉ３から白色出力カラーデータＷｏ１を減算した値に定める。
【００７７】
これを数式で表現すれば、次の通りである。
［数５］
Ｂｏ２＝［Ｂｉ３−Ｗｏ３＋（Ｂｉ１−Ｗｏ１）／２＋（Ｂｉ４−Ｗｏ４）／２］／２
Ｇｏ３＝Ｇｉ３−Ｗｏ３
【００７８】
したがって、本発明の一実施形態によるディスプレイパネルでは、隣接する第１ピクセル及び第３ピクセルのうち第１ピクセルは、青色サブピクセルを含まないが、第２ピクセル及び第３ピクセルのレンダリングにより青色を具現でき、第３ピクセルは、赤色サブピクセルを含まないが、第１ピクセル及び第４ピクセルのレンダリングにより赤色を具現する。よって、一つのピクセルには３個のサブピクセルを含むことができ、これによって、ＲＧＢサブピクセルを使う駆動回路と同じ駆動回路を使える。よって、スキャンチャネルまたはデータチャネルの増加を回避して、駆動回路の面積の増加、チャージタイム変動、駆動周波数変動などを防止できる。
【００７９】
図６Ａは、本発明の一実施形態によって、５つのピクセルの間で具現されるレンダリングを説明するために、ピクセルＰ１、ピクセルＰ２、ピクセルＰ３、ピクセルＰ４及びピクセルＰ５を示す図面である。
【００８０】
図６Ａを参照すれば、ピクセルＰ１は、青色、白色、緑サブピクセルを含むことができ、ピクセルＰ２、Ｐ３、Ｐ４、Ｐ５は、赤色、白色、緑サブピクセルを含むことができる。ピクセルＰ２、Ｐ３、Ｐ４、Ｐ５には、青色光を具現するサブピクセルがなく、ピクセルＰ１には赤色光を具現するサブピクセルがない。よって、ピクセルＰ２、Ｐ３、Ｐ４、Ｐ５に対応する青色入力カラーデータは、ピクセルＰ１のレンダリングにより具現される。
【００８１】
図６Ｂは、本発明の一実施形態による５つのピクセルの間で具現されるレンダリングを説明するためのカラーデータ変換器１１１を具体的に示す図面である。
【００８２】
図６Ｂを参照すれば、カラーデータ変換器１１１は、３色の入力カラーデータＲｉ１、Ｇｉ１、Ｂｉ１；Ｒｉ２、Ｇｉ２、Ｂｉ２；Ｒｉ３、Ｇｉ３、Ｂｉ３；Ｒｉ４、Ｇｉ４、Ｂｉ４；Ｒｉ５、Ｇｉ５、Ｂｉ５を受信し、色座標が変換された出力カラーデータＢｏ１、Ｇｏ１、Ｗｏ１；Ｒｏ２、Ｇｏ２、Ｗｏ２；Ｒｏ３、Ｇｏ３、Ｗｏ３；Ｒｏ４、Ｇｏ４、Ｗｏ４；Ｒｏ５、Ｇｏ５、Ｗｏ５を生成する。カラーデータ変換器１１１は、ゲイン比率ｇａ１、ｇａ２、ｇａ３、ｇａ４、ｇａ５を受信し、出力カラーデータＢｏ１、Ｇｏ１、Ｗｏ１；Ｒｏ２、Ｇｏ２、Ｗｏ２；Ｒｏ３、Ｇｏ３、Ｗｏ３；Ｒｏ４、Ｇｏ４、Ｗｏ４；Ｒｏ５、Ｇｏ５、Ｗｏ５の生成に用いる。
【００８３】
さらに具体的に、カラーデータ変換器１１１は、ピクセルＰ１及びピクセルＰ２に対応する入力カラーデータＲｉ１、Ｇｉ１、Ｂｉ１；Ｒｉ２、Ｇｉ２、Ｂｉ２；Ｒｉ３、Ｇｉ３、Ｂｉ３；Ｒｉ４、Ｇｉ４、Ｂｉ４；Ｒｉ５、Ｇｉ５、Ｂｉ５から、それぞれのピクセルで具現される白色出力カラーデータＷｏ１、Ｗｏ２、Ｗｏ３、Ｗｏ４、Ｗｏ５を算出する。例えば、カラーデータ変換器１１１は、入力カラーデータＲｉ１、Ｇｉ１、Ｂｉ１の最小値に第１ゲイン比率ｇａ１を乗算し、ピクセルＰ１で具現される白色出力カラーデータＷｏ１を算出する。また類似した方法で白色出力カラーデータＷｏ２、Ｗｏ３、Ｗｏ４、Ｗｏ５を算出する。これらを数式で表現すれば、次の通りである。
［数６］
Ｗｏ１＝ｍｉｎ（Ｒｉ１，Ｇｉ１，Ｂｉ１）×ｇａ１
Ｗｏ２＝ｍｉｎ（Ｒｉ２，Ｇｉ２，Ｂｉ２）×ｇａ２
Ｗｏ３＝ｍｉｎ（Ｒｉ３，Ｇｉ３，Ｂｉ３）×ｇａ３
Ｗｏ４＝ｍｉｎ（Ｒｉ４，Ｇｉ４，Ｂｉ４）×ｇａ４
Ｗｏ５＝ｍｉｎ（Ｒｉ５，Ｇｉ５，Ｂｉ５）×ｇａ５
【００８４】
ここで、第１ゲイン比率ｇａ１ないし第５ゲイン比率ｇａ５は、０と１との間の数字に該当し、ゲイン比率についての具体的な説明は、図４についての説明を参照する。
【００８５】
カラーデータ変換器１１１は、ピクセルＰ１に対応する青色出力カラーデータＢｏ１を算出する場合、ピクセルＰ２、Ｐ３、Ｐ４、Ｐ５に対応する入力カラーデータＲｉ１、Ｇｉ１、Ｂｉ１；Ｒｉ２、Ｇｉ２、Ｂｉ２；Ｒｉ３、Ｇｉ３、Ｂｉ３；Ｒｉ４、Ｇｉ４、Ｂｉ４；Ｒｉ５、Ｇｉ５、Ｂｉ５に基づいて定める。例えば、カラーデータ変換器１１１は、ピクセルＰ１で具現される青色出力カラーデータＢｏ１を、青色入力カラーデータＢｉ１から白色出力カラーデータＷｏ１を減算した値、青色入力カラーデータＢｉ２から白色出力カラーデータＷｏ２を減算した値を４で割った値、青色入力カラーデータＢｉ３から白色出力カラーデータＷｏ３を減算した値を４で割った値、青色入力カラーデータＢｉ４から白色出力カラーデータＷｏ４を減算した値を４で割った値、青色入力カラーデータＢｉ５から白色出力カラーデータＷｏ５を減算した値を４で割った値をいずれも合わせた値を２で割った値に定める。すなわち、ピクセルＰ２、Ｐ３、Ｐ４、Ｐ５で具現される青色光は、ピクセルＰ１のレンダリングにより具現される。
【００８６】
カラーデータ変換器１１１は、ピクセルＰ１に対応する緑色出力カラーデータＧｏ１を算出する場合、緑色入力カラーデータＧｉ１から白色出力カラーデータＷｏ１を減算した値に定める。
【００８７】
これらを数式で表現すれば、次の通りである。
［数７］
Ｂｏ１＝［Ｂｉ１−Ｗｏ１＋（Ｂｉ２−Ｗｏ２）／４＋（Ｂｉ３−Ｗｏ３）／４＋（Ｂｉ４−Ｗｏ４）／４＋（Ｂｉ５−Ｗｏ５）／４］／２
Ｇｏ１＝Ｇｉ１−Ｗｏ１
【００８８】
したがって、本発明の一実施形態によるディスプレイパネルは、隣接する第１ピクセルないし第５ピクセルのうち、第２ピクセルないし第５ピクセルは、青色サブピクセルを含まないが、第１ピクセルのレンダリングにより青色を具現する。よって、一つのピクセルには３個のサブピクセルを含むことができ、これによって、ＲＧＢサブピクセルを使う駆動回路と同じ駆動回路を使える。よって、スキャンチャネルまたはデータチャネルの増加を回避し、駆動回路の面積の増加、チャージタイム変動、駆動周波数変動などを防止できる。
【００８９】
図７は、本発明の一実施形態によるディスプレイパネルの駆動方法を説明するフローチャートＳ２００である。
【００９０】
図１及び図７を参照すれば、カラーデータ変換器１１１は、複数のＲＧＢ入力カラーデータを受信する（Ｓ２１０）。例えば、カラーデータ変換器１１１は、第１ピクセルに対する入力カラーデータＲｉ１、Ｇｉ１、Ｂｉ１、及び第２ピクセルに対する入力カラーデータＲｉ２、Ｇｉ２、Ｂｉ２を受信する。カラーデータ変換器１１１は、ゲイン比率を受信する（Ｓ２３０）。例えば、カラーデータ変換器１１１は、第１ピクセルに対するゲイン比率ｇａ１及び第２ピクセルに対するゲイン比率ｇａ２を受信できる。このような場合、第１ピクセルに対するゲイン比率ｇａ１と、第２ピクセルに対するゲイン比率ｇａ２とは、適用例によって同一であってもよく、異なってもよい。カラーデータ変換器１１１は、入力カラーデータに基づいて出力カラーデータを生成する（Ｓ２５０）。カラーデータ変換器１１１は、適用例によって多様な方式で出力カラーデータを生成する。このような出力カラーデータの生成方法は、図４ないし図６を参照する。カラーデータ変換器１１１は、多様な適用例によって生成された出力カラーデータを出力してデータドライバ１２０に供給する。データドライバ１２０は、出力カラーデータに基づいてディスプレイパネルを駆動する（Ｓ２７０）。
【００９１】
図８は、本発明の一実施形態によるディスプレイパネル２００を示す図面である。
【００９２】
図８を参照すれば、それぞれのピクセルＰ１ないしＰ１２は、緑色及び白色サブピクセルをいずれも含み、赤色または青色サブピクセルを交互に含む。ピクセルＰ１、Ｐ３、Ｐ６、Ｐ８、Ｐ９、Ｐ１１には、青色サブピクセルが含まれずに赤色サブピクセルが含まれる。また、ピクセルＰ２、Ｐ４、Ｐ５、Ｐ７、Ｐ１０、Ｐ１２には、赤色サブピクセルが含まれずに青色サブピクセルが含まれる。
【００９３】
例えば、ピクセルＰ６の駆動時に、表示装置がピクセルＰ６に対応する青色入力カラーデータを受信すれば、ピクセルＰ６には青色サブピクセルがないので、ディスプレイパネル２００は、隣接するピクセルＰ７の青色サブピクセル及び／またはピクセルＰ６の白色サブピクセルを通じて、ピクセルＰ６に対応する青色入力カラーデータを具現する。
【００９４】
また、ピクセルＰ７の駆動時に、表示装置がピクセルＰ７に対応する赤色入力カラーデータを受信すれば、ピクセルＰ７には赤色サブピクセルがないので、ディスプレイパネル２００は、隣接するピクセルＰ８の赤色サブピクセル及び／またはピクセルＰ７の白色サブピクセルを通じて、ピクセルＰ７に対応する赤色入力カラーデータを具現する。
【００９５】
他の実施形態で、表示装置がピクセルＰ６に対応する青色入力カラーデータを受信すれば、ディスプレイパネル２００は、隣接するピクセルＰ５及びピクセルＰ７の青色サブピクセル及び／またはピクセルＰ６の白色サブピクセルを通じて、ピクセルＰ６に対応する青色入力カラーデータを具現する。
【００９６】
また、表示装置がピクセルＰ７に対応する赤色入力カラーデータを受信すれば、ディスプレイパネル２００は、隣接するピクセルＰ６及びピクセルＰ８の赤色サブピクセル及び／またはピクセルＰ７の白色サブピクセルを通じて、ピクセルＰ７に対応する赤色入力カラーデータを具現する。
【００９７】
さらに他の実施形態で、表示装置がピクセルＰ６に対応する青色入力カラーデータを受信すれば、ディスプレイパネル２００は、隣接するピクセルＰ２、ピクセルＰ５、ピクセルＰ７、ピクセルＰ１０の青色サブピクセル及び／またはピクセルＰ６の白色サブピクセルを通じて、ピクセルＰ６に対応する青色入力カラーデータを具現する。
【００９８】
また、表示装置がピクセルＰ７に対応する赤色入力カラーデータを受信すれば、ディスプレイパネル２００は、隣接するピクセルＰ３、ピクセルＰ６、ピクセルＰ８、ピクセルＰ１１の赤色サブピクセル及び／またはピクセルＰ７の白色サブピクセルを通じて、ピクセルＰ７に対応する赤色入力カラーデータを具現する。
【００９９】
本発明は、図面に示した実施形態を参照までに説明されたが、これは例示的なものに過ぎず、当業者ならば、これより多様な変形及び均等な他の実施形態が可能であるという点を理解できるであろう。よって、本発明の真の技術的保護範囲は、特許請求の範囲の技術的思想によって定められねばならない。
【産業上の利用可能性】
【０１００】
本発明は、表示装置関連の技術分野に好適に用いられる。
【符号の説明】
【０１０１】
１０  表示装置
１００  ディスプレイパネル
１１０  タイミングコントローラ
１１１  カラーデータ変換器
１２０  データドライバ
１３０  ゲートドライバ
【図１】
2014063161.tif 000003
【図２Ａ】
2014063161.tif 000004
【図２Ｂ】
2014063161.tif 000005
【図２Ｃ】
2014063161.tif 000006
【図２Ｄ】
2014063161.tif 000007
【図２Ｅ】
2014063161.tif 000008
【図２Ｆ】
2014063161.tif 000009
【図２Ｇ】
2014063161.tif 000010
【図２Ｈ】
2014063161.tif 000011
【図３】
2014063161.tif 000012
【図４Ａ】
2014063161.tif 000013
【図４Ｂ】
2014063161.tif 000014
【図５Ａ】
2014063161.tif 000015
【図５Ｂ】
2014063161.tif 000016
【図６Ａ】
2014063161.tif 000017
【図６Ｂ】
2014063161.tif 000018
【図７】
2014063161.tif 000019
【図８】
2014063161.tif 000020